(57)【要約】【課題】洗浄研磨後のコイン表裏面に付着している水滴を確実に吸水除去する低コストの機構を備えたコイン洗浄研磨装置を提供する。【解決手段】キャビネット１のコイン落下口１ａ下方に固定の上ブラシ盤２ａとモータ２ｇで回転する下ブラシ盤２ｄを対向配置したコイン洗浄研磨部２を設け、搬送コンベヤ３ｆの搬送面にコインの厚さと同じ高さか又はそれより低い高さの突起３ｇを形成するとともに上方に搬送方向と逆回転するブラシロール３ｊをブラシ毛端が搬送面からコインの厚さと略同じ高さとなるように軸支したコイン整列部３を設け、上下一対の吸水ローラ４ｂ，４ｄを押接状態で軸支したコイン吸水部４を設けた。【選択図】          図２
2004187816.tif 000002
【特許請求の範囲】
【請求項１】
洗浄水を用いてコインを洗浄研磨する洗浄研磨手段を設け、同洗浄研磨手段で洗浄研磨されたコインを一対の吸水ローラ間に通過させて表裏面の水滴を吸水除去する吸水手段を設けたコイン洗浄研磨装置。
【請求項２】
洗浄研磨手段で洗浄研磨されたコインを１枚ずつ並べて整列させる整列手段を設け、同整列手段で整列されたコインを一対の吸水ローラ間に通過させるようにした請求項１記載のコイン洗浄研磨装置。
【請求項３】
整列手段が、洗浄研磨手段の下方に落下したコインを水平方向又は斜め上方へ搬送する搬送面が平坦な搬送コンベヤを設け、同搬送コンベヤの搬送面にコインの厚さと同じ高さか又はそれより低い高さの突起を搬送方向はコインの直径より大きい間隔で搬送コンベヤの幅方向はコインの直径より小さい間隔をおいて縦横に複数設け、コインを１枚ずつ突起で保持して整列させた状態で吸水手段へ搬送できるようにしたものである請求項２記載のコイン洗浄研磨装置。
【請求項４】
搬送コンベヤの上方にコインを搬送方向と逆方向へ送るように回転するロールをそのロール面が搬送面からコインの厚さと略同じ高さとなるように設け、搬送コンベヤ上で重なった上側のコインを前記ロールで後方へ払去後１枚ずつ突起で保持して整列させた状態で吸水手段へ搬送できるようにしたものである請求項３記載のコイン洗浄研磨装置。
【請求項５】
ロールが横長の円筒状で、外周に多数本のブラシ毛を植毛したブラシロールである請求項４記載のコイン洗浄研磨装置。
【請求項６】
搬送コンベヤの上方にゲートをその下端が搬送面からコインの厚さと略同じ高さとなるように設け、搬送コンベヤ上で重なった上側のコインを前記ゲートで遮蔽して１枚ずつ突起で保持して整列させた状態で吸水手段へ搬送できるようにしたものである請求項３記載のコイン洗浄研磨装置。
【請求項７】
洗浄研磨手段がブラシの動きによる摩擦で洗浄研磨するものである請求項１〜６いずれか記載のコイン洗浄研磨装置。
【請求項８】
上方にコイン投入口と側面にコイン排出口を備えたケーシング内に中央部が開口された上ブラシ盤と下ブラシ盤を各ブラシ面が対向するように所定間隔おいて配置し、上ブラシ盤又は下ブラシ盤を回転させる駆動手段を設け、ケーシング内に洗浄水を吐水する洗浄水吐水手段を設け、コイン投入口に投入したコインを上ブラシ盤の開口を通して各ブラシ面間に落下させて洗浄水及びブラシ面との摩擦により表面を洗浄研磨できるようにした請求項７記載のコイン洗浄研磨装置。
【請求項９】
吸水手段が、上下一対の吸水ローラをその回転軸に対して偏心しながら回転するように軸支し、各吸水ローラ間を通過するコインに吸水ローラ面を押接して水滴を吸水除去できるようにしたものである請求項１〜８いずれか記載のコイン洗浄研磨装置。
【請求項１０】
吸水ローラの吸水した洗浄水を紋出する絞りローラを設けた請求項１〜９いずれか記載のコイン洗浄研磨装置。
【請求項１１】
洗浄研磨手段及び吸水手段から排水された洗浄水を回収する回収タンクを設け、同回収タンク内の洗浄水を洗浄研磨手段に送水するポンプを設け、洗浄水を循環させて再利用できるようにした請求項１〜１０いずれか記載のコイン洗浄研磨装置。
【発明の詳細な説明】
【０００１】
【発明の属する技術分野】
本発明は、遊技用メダル・硬貨（以下コインという）の表面を洗浄研磨して油・脂・ゴミ・汚れを除去する装置に関し、詳しくは洗浄研磨後のコイン表裏面の水滴を確実に吸水除去する技術に関する。
【０００２】
【従来の技術】
従来、遊技設備で使用されるコインは汚染が著しい為、表面を機械的に効率的に洗浄研磨するコイン洗浄研磨装置が開発され、実用に供している。このコイン洗浄研磨装置としては、例えば外周を囲んだケーシング内で相対的に回転する一対のブラシ盤を設け、投入されたコインを対向するブラシ盤間に送り、相対的に回転するブラシ毛間でコインを研磨しながら円周方向に移動させてケーシングから外部へ排出するようにした構成が公知である。
【０００３】
ところで、このような装置で洗浄研磨されたコインの表面には洗浄水の水滴が付着しており、除去する必要がある。除去方法としては、例えばスポンジを用いた回転自在な吸水ローラをコインの表面に押接して吸水する方法や熱風ドライヤーで熱風を吹き付けて乾燥させる方法がある。しかし、前者の方法はコイン同士が重なった状態では重合面の水滴が吸水除去できない問題があり、後者の方法では装置に多額のコストや電力を要する問題があり、いずれも満足できるものではなかった。
【０００４】
【発明が解決しようとする課題】
本発明が解決しようとする課題は、従来のこれらの問題点を解消し、洗浄研磨後のコイン表裏面に付着している水滴を確実に吸水除去する低コストの機構を備えたコイン洗浄研磨装置を提供することにある。
【０００５】
【課題を解決するための手段】
かかる課題を解決した本発明の構成は、
１）  洗浄水を用いてコインを洗浄研磨する洗浄研磨手段を設け、同洗浄研磨手段で洗浄研磨されたコインを一対の吸水ローラ間に通過させて表裏面の水滴を吸水除去する吸水手段を設けたコイン洗浄研磨装置
２）  洗浄研磨手段で洗浄研磨されたコインを１枚ずつ並べて整列させる整列手段を設け、同整列手段で整列されたコインを一対の吸水ローラ間に通過させるようにした前記１）記載のコイン洗浄研磨装置
３）  整列手段が、洗浄研磨手段の下方に落下したコインを水平方向又は斜め上方へ搬送する搬送面が平坦な搬送コンベヤを設け、同搬送コンベヤの搬送面にコインの厚さと同じ高さか又はそれより低い高さの突起を搬送方向はコインの直径より大きい間隔で搬送コンベヤの幅方向はコインの直径より小さい間隔をおいて縦横に複数設け、コインを１枚ずつ突起で保持して整列させた状態で吸水手段へ搬送できるようにしたものである前記２）記載のコイン洗浄研磨装置
４）  搬送コンベヤの上方にコインを搬送方向と逆方向へ送るように回転するロールをそのロール面が搬送面からコインの厚さと略同じ高さとなるように設け、搬送コンベヤ上で重なった上側のコインを前記ロールで後方へ払去後１枚ずつ突起で保持して整列させた状態で吸水手段へ搬送できるようにしたものである前記３）記載のコイン洗浄研磨装置
５）  ロールが横長の円筒状で、外周に多数本のブラシ毛を植毛したブラシロールである前記４）記載のコイン洗浄研磨装置
６）  搬送コンベヤの上方にゲートをその下端が搬送面からコインの厚さと略同じ高さとなるように設け、搬送コンベヤ上で重なった上側のコインを前記ゲートで遮蔽して１枚ずつ突起で保持して整列させた状態で吸水手段へ搬送できるようにしたものである前記３）記載のコイン洗浄研磨装置
７）  洗浄研磨手段がブラシの動きによる摩擦で洗浄研磨するものである前記１）〜６）いずれか記載のコイン洗浄研磨装置
８）  上方にコイン投入口と側面にコイン排出口を備えたケーシング内に中央部が開口された上ブラシ盤と下ブラシ盤を各ブラシ面が対向するように所定間隔おいて配置し、上ブラシ盤又は下ブラシ盤を回転させる駆動手段を設け、ケーシング内に洗浄水を吐水する洗浄水吐水手段を設け、コイン投入口に投入したコインを上ブラシ盤の開口を通して各ブラシ面間に落下させて洗浄水及びブラシ面との摩擦により表面を洗浄研磨できるようにした前記７）記載のコイン洗浄研磨装置
９）  吸水手段が、上下一対の吸水ローラをその回転軸に対して偏心しながら回転するように軸支し、各吸水ローラ間を通過するコインに吸水ローラ面を押接して水滴を吸水除去できるようにしたものである前記１）〜８）いずれか記載のコイン洗浄研磨装置
１０）  吸水ローラの吸水した洗浄水を紋出する絞りローラを設けた前記１）〜９）いずれか記載のコイン洗浄研磨装置
１１）  洗浄研磨手段及び吸水手段から排水された洗浄水を回収する回収タンクを設け、同回収タンク内の洗浄水を洗浄研磨手段に送水するポンプを設け、洗浄水を循環させて再利用できるようにした前記１）〜１０）いずれか記載のコイン洗浄研磨装置
にある。
【０００６】
【作用】
本発明によれば、洗浄研磨後のコインを整列手段で１枚ずつ並べて整列させるから、上下一対の吸水ローラでコイン表裏面の水滴を確実に吸水除去できるようになる。
【０００７】
【発明の実施の形態】
本発明の整列手段としては、洗浄研磨手段の下方に落下したコインを水平方向又は斜め上方へ搬送する搬送面が平坦な搬送コンベヤを設け、同搬送コンベヤの搬送面にコインの厚さと同じ高さか又はそれより低い高さの突起を搬送方向はコインの直径より大きい間隔で搬送コンベヤの幅方向はコインの直径より小さい間隔をおいて縦横に複数設け、搬送コンベヤの上方にコインを搬送方向と逆方向へ送るように回転するロールをそのロール面が搬送面からコインの厚さと略同じ高さとなるように設けたものが、搬送コンベヤ上で重なった上側のコインを前記ロールで後方へ払去後１枚ずつ突起で保持され、低コストでシンプルな構造ながらコインを確実に整列させた状態で吸水手段へ搬送できる。
【０００８】
また、他の整列手段としては、洗浄研磨手段の下方に落下したコインを水平方向又は斜め上方へ搬送する搬送面が平坦な搬送コンベヤを設け、同搬送コンベヤの搬送面にコインの厚さと同じ高さか又はそれより低い高さの突起を搬送方向はコインの直径より大きい間隔で搬送コンベヤの幅方向はコインの直径より小さい間隔をおいて縦横に複数設け、搬送コンベヤの上方にゲートをその下端が搬送面からコインの厚さと略同じ高さとなるように設け、搬送コンベヤ上で重なった上側のコインを前記ゲートで遮蔽して１枚ずつ突起で保持して整列させた状態で吸水手段へ搬送できるようにしたものもある。
【０００９】
洗浄研磨手段としては、上方にコイン投入口と側面にコイン排出口を備えたケーシング内に中央部が開口された上ブラシ盤と下ブラシ盤を各ブラシ面が対向するように所定間隔おいて配置し、上ブラシ盤又は下ブラシ盤を回転させる駆動手段を設け、ケーシング内に洗浄水を吐水する洗浄水吐水手段を設け、コイン投入口に投入したコインを上ブラシ盤の開口を通して各ブラシ面間に落下させて洗浄水及びブラシ面との摩擦により表面を洗浄研磨できるようにしたものが、洗浄研磨能力が高くて好ましい。
【００１０】
吸水手段としては、上下一対の吸水ローラをその回転軸に対して偏心しながら回転するように軸支したものが、各吸水ローラ間を通過するコインに吸水ローラ面を押接して水滴を効率的に吸水除去でき、特に通過するコインの厚さがそれぞれ異なっても偏心により常時適当な押接力で確実に吸水除去できる。また、吸水ローラの吸水した洗浄水を紋出する絞りローラを設けると、吸水ローラの飽和状態を防止して吸水能力を維持できて好ましい。
【００１１】
また、洗浄研磨手段及び吸水手段から排水された洗浄水を回収する回収タンクを設け、同回収タンク内の洗浄水を洗浄研磨手段に送水するポンプを設けると、洗浄水を循環させて再利用できるようにして装置単独で給水手段のない場所に移動して使用できる。
【００１２】
【実施例】
以下、本発明の実施例を図面に基づいて具体的に説明する。図１は実施例のコイン洗浄研磨装置の斜視図、図２は図１のＡ−Ａ断面図、図３は実施例のコイン洗浄研磨部の斜視図、図４は実施例のコイン洗浄研磨部の分解斜視図、図５は実施例のコイン整列部の斜視図、図６は実施例のコイン吸水部の斜視図、図７は実施例のコイン整列部とコイン吸水部の駆動機構を示す一部切欠斜視図、図８は実施例のコイン洗浄研磨装置の使用状態を示す説明図、図９は実施例のコインの整列を示す説明図である。
【００１３】
図中、１はキャビネットであって、図２に示すように上面にコーン状のコイン落下口１ａを形成し、一側面に排出口１ｂを形成して下方へ傾斜するシュート１ｃを取り付け、下面四隅にキャスター１ｄを取り付けて移動可能に構成している。
【００１４】
２はコイン洗浄研磨部であって、図３，４に示すように中央部にコイン投入口２ｂを形成するとともに下面にブラシ毛２ｃを植毛した固定の上ブラシ盤２ａと、中心部に回転軸２ｆを軸着するとともに上面にブラシ毛２ｅを植毛した回転自在な下ブラシ盤２ｄとをキャビネット１のコイン落下口１ａの下方に対面配置し、回転軸２ｆとモータ２ｇの出力軸２ｈとの間に駆動ベルト２ｉを掛架し、各ブラシ盤２ａ，２ｄを収容するケーシング２ｊに排水口２ｋを形成し、同排水口２ｋから排水された洗浄水を下方へ案内する排水路２ｍを配管している。２ｎは洗浄研磨されたコインを吐出する吐出口、２ｐはコイン落下口１ａと上ブラシ盤２ａのコイン投入口２ｂを接続するアダプタリングである。
【００１５】
３はコイン整列部であって、図５に示すようにコイン洗浄研磨部２の下方に駆動側が上方となるように駆動ベルト車３ａと従動ベルト車３ｂを所定間隔おいて軸支し、同駆動ベルト車３ａと従動ベルト３ｂの間にゴム製の平坦な搬送ベルト３ｅを掛架して搬送コンベヤ３ｆを構成し、搬送ベルト３ｅの表面に図９に示すようにコインの厚さＨよりやや低い高さの突起３ｇを搬送方向はコインの直径より大きい間隔で搬送コンベヤ３ｆの幅方向はコインの直径より小さい間隔をおいて縦横に突設し、従動ベルト車３ｂ側の搬送ベルト３ｅ上方に洗浄研磨されたコインを搬送ベルト３ｅ上に案内して落下させる突起３ｇの逃げ凹所３ｉが形成された案内路３ｈを配管し、駆動ベルト車３ａ側の搬送ベルト３ｅ上方に搬送方向と逆方向にコインを送るように回転する幅広のブラシロール３ｊをそのブラシ毛端が搬送ベルト３ｅ面からコインの厚さと略同じ高さとなるように軸支している。
【００１６】
４はコイン吸水部であって、図６に示すように搬送コンベヤ３ｆの終端とキャビネット１の排出口１ｂの間に途中を開口した滑板４ａを排出口１ｂ側へシュート１ｃと連続するように傾斜させて設け、同滑板４ａの各開口上下にスポンジからなる吸水ローラ４ｂ，４ｄを対向する一部が変形するように互いに押接させた状態で軸支し、硬質なプラスチックからなる小径の絞りローラ４ｆを下側の各吸水ローラ４ｄにその一部が変形するように押接させた状態で軸支している。
【００１７】
５は駆動機構であって、図７に示すように搬送コンベヤ３ｆの駆動ベルト車３ａの回転軸３ｃとブラシロール３ｊの回転軸３ｋそれぞれにギヤ５ａ〜５ｄを軸着し、各吸水ローラ４ｂ，４ｄの各回転軸４ｃ，４ｅと各絞りローラ４ｆの各回転軸４ｇそれぞれにギヤ５ｅ〜５ｈを軸着して歯合し、ギヤ５ｉをギヤ５ｂと所定間隔おいて軸支するとともにギヤ５ｉにギヤ５ｊを軸着してギヤ５ｇと歯合し、搬送コンベヤ３ｆ上にギヤ５ｎを出力軸５ｍに軸着したモータ５ｋを配置し、ギヤ５ａとギヤ５ｎ間，ギヤ５ｃとギヤ５ｄ間，ギヤ５ｂとギヤ５ｉ間，各ギヤ５ｈ間にそれぞれ駆動チェーン５ｐを掛架している。
【００１８】
６は洗浄水循環部であって、図２に示すように搬送コンベヤ３ｆと各絞りローラ４ｆの下方に排水又は紋出された洗浄水を下方へ注ぐ回収漏斗６ａを設けるとともにその注ぎ口下端に回収した洗浄水を一時的に貯水する回収タンク６ｂを設け、同回収タンク６ｂ内の洗浄水を送り出すポンプ６ｃを設け、同ポンプ６ｃで送り出された洗浄水をキャビネット１のコイン落下口１ａのコーン面に給水する給水路６ｄを配管している。Ｃはコイン、Ｗは洗浄水である。
【００１９】
本実施例では、図８に示すように回収タンク６ｂ内に洗浄水Ｗを所定量貯水させた状態でポンプ６ｃを作動させると、洗浄水Ｗが給水管６ｄでキャビネット１のコイン落下口１ａのコーン面に給水され、同給水された洗浄水Ｗは各ブラシ盤２ａ，２ｄ間を通ってケーシング２ｊの排水口２ｋから排水され、同排水された洗浄水Ｗは排水路２ｍで回収漏斗６ａに案内されて回収タンク６ｂに回収され、再びポンプ６ｃで送り出すことで循環する。
【００２０】
モータ２ｇとモータ５ｋを作動させて下ブラシ盤２ｄと搬送コンベヤ３ｆとブラシロール３ｊと各吸水ローラ４ｂ，４ｄと各絞りローラ４ｆを回動させた後、使用して汚れた多数枚のコインＣをキャビネット１の落下口１ａに投入すると、各コインＣは上ブラシ盤２ａのコイン投入口２ｂを通って各ブラシ盤２ａ，２ｄ間に落下し、下ブラシ盤２ｄの回転で対向する各ブラシ毛２ｃ，２ｅの摩擦と流れる洗浄水Ｗにより各コインＣの外面が洗浄研磨され、ケーシング２ｊの吐出口２ｎから案内路３ｈで下方に案内される。
【００２１】
次に、前記案内路３ｈで下方へ案内された各コインＣは搬送コンベヤ３ｆの搬送ベルト３ｅ上に落下し、突起３ｇによる支持又は摩擦で右上方へ搬送される。ここで、多数枚のコインＣはランダムに落下して来るから、コインＣ同士が上下に重なった状態で搬送される場合があり、その重合面の水滴が上下一対の吸水ローラ４ｂ，４ｄで吸水除去できなくなることがある。しかし、図９（ａ）に示すように逆回転するブラシロール３ｊがそのブラシ毛で届く範囲すなわち突起３ｇで支持されたコインＣ以外の重なる他の各コインＣ全てを搬送方向と逆方向へ払去し、突起３ｇには１枚のコインＣのみが残って払去されたコインＣが図９（ｂ）に示すように後方の空いた突起３ｇで支持されることとなる。
【００２２】
その後、搬送コンベヤ３ｆの終端まで整列状態で搬送された各コインＣは図６に示すように滑板４ａで下方へ移行し、上下一対の吸水ローラ４ｂ，４ｄ間を通過することで表裏面の水滴が吸水除去され、シュート１ｃでキャビネット１の排出口１ｂより排出される。
【００２３】
本実施例はこのように構成したから、搬送コンベヤ上で重なった上側のコインをブラシロールで後方へ払去後１枚ずつ突起で保持して整列させた状態で吸水手段へ搬送するようにしたことで、上下一対の吸水ローラで表裏面の水滴を確実に吸水除去でき、装置も熱風ドライヤー等と比較して低コストで省電力なものとなった。
【００２４】
図１０，１１に示すのは、コイン整列部の他の例である。図１０は実施例の他の例のコイン整列部の斜視図、図１１は実施例の他の例のコインの整列を示す説明図である。図中、３ｍはゲートである。
【００２５】
実施例の他の例では、図１０に示すようにゲート３ｍをその下端がコインＣの厚さと略同じ高さとなるように立設することで、図１１（ａ），（ｂ）に示すように上下方向に重なった上側のコインＣがゲート３ｍで遮蔽されて１枚ずつ並べた状態で搬送される。従って、実施例と比較して作動箇所が減少するから、構造がシンプルになって安価にできる。その他、符号、構成は実施例と同じである。
【００２６】
図１２に示すのは、吸水ローラがバネの反発力で回転軸に対して偏心しながら回転するように構成した実施例のコイン吸水部の他の例である。図１２は実施例の他の例のコイン吸水部の説明図である。図中、４ｈはバネである。
【００２７】
実施例の他の例では、図１２に示すように各吸水ローラ４ｂ，４ｄを環状に形成してその回転軸４ｃ，４ｅと離隔した外周に配置し、吸水ローラ４ｂ，４ｄと回転軸４ｃ，４ｅとの間にバネ４ｈを放射状に５体取り付けている。従って、コインＣが通過すると、その厚さ分各吸水ローラ４ｂ，４ｄが外側に偏心し、バネ４ｈの反発力で吸水面をコインＣの表裏面に押接して水滴が吸水除去される。
【００２８】
この例は通過するコインＣの厚さがそれぞれ異なっても吸水ローラ４ｂ，４ｄの偏心により常時適当な押接力で水滴が確実に吸水除去できるものである。また、各吸水ローラ４ｂ，４ｄのローラ面同士を予め直接押接するように軸支しておくと、ローラ面が摩耗してもコインＣの表裏面をバネ４ｈの反発力により常時一定圧で押接して、吸水能力を長期に渡って維持できるとともに、各吸水ローラ４ｂ，４ｄ間の隙間調整を不要にできる。その他、符号、構成は実施例と同じである。
【００２９】
【発明の効果】
以上説明したように、本発明によれば洗浄研磨後のコイン表裏面に付着している水滴を確実に吸水除去し得る低コストの機構を備えたコイン洗浄研磨装置を提供できる。
【図面の簡単な説明】
【図１】実施例のコイン洗浄研磨装置の斜視図である。
【図２】図１のＡ−Ａ断面図である。
【図３】実施例のコイン洗浄研磨部の斜視図である。
【図４】実施例のコイン洗浄研磨部の分解斜視図である。
【図５】実施例のコイン整列部の斜視図である。
【図６】実施例のコイン吸水部の斜視図である。
【図７】実施例のコイン整列部とコイン吸水部の駆動機構を示す一部切欠斜視図である。
【図８】実施例のコイン洗浄研磨装置の使用状態を示す説明図である。
【図９】実施例のコインの整列を示す説明図である。
【図１０】実施例の他の例のコイン整列部の斜視図である。
【図１１】実施例の他の例のコインの整列を示す説明図である。
【図１２】実施例の他の例のコイン吸水部の説明図である。
【符号の説明】
１  キャビネット
１ａ  コイン落下口
１ｂ  排出口
１ｃ  シュート
１ｄ  キャスター
２  コイン洗浄研磨部
２ａ  上ブラシ盤
２ｂ  コイン投入口
２ｃ  ブラシ毛
２ｄ  下ブラシ盤
２ｅ  ブラシ毛
２ｆ  回転軸
２ｇ  モータ
２ｈ  出力軸
２ｉ  駆動ベルト
２ｊ  ケーシング
２ｋ  排水口
２ｍ  排水路
２ｎ  吐出口
２ｐ  アダプタリング
３  コイン整列部
３ａ  駆動ベルト車
３ｂ  従動ベルト車
３ｃ，３ｄ  回転軸
３ｅ  搬送ベルト
３ｆ  搬送コンベヤ
３ｇ  突起
３ｈ  案内路
３ｉ  逃げ凹所
３ｊ  ブラシロール
３ｋ  回転軸
３ｍ  ゲート
４  コイン吸水部
４ａ  滑板
４ｂ  吸水ローラ
４ｃ  回転軸
４ｄ  吸水ローラ
４ｅ  回転軸
４ｆ  絞りローラ
４ｇ  回転軸
４ｈ  バネ
５  駆動機構
５ａ〜５ｊ  ギヤ
５ｋ  モータ
５ｍ  出力軸
５ｎ  ギヤ
５ｐ  駆動チェーン
６  洗浄水循環部
６ａ  回収漏斗
６ｂ  回収タンク
６ｃ  ポンプ
６ｄ  給水路
Ｃ  コイン
Ｗ  洗浄水
【図１】
2004187816.tif 000003
【図２】
2004187816.tif 000004
【図３】
2004187816.tif 000005
【図４】
2004187816.tif 000006
【図５】
2004187816.tif 000007
【図６】
2004187816.tif 000008
【図７】
2004187816.tif 000009
【図８】
2004187816.tif 000010
【図９】
2004187816.tif 000011
【図１０】
2004187816.tif 000012
【図１１】
2004187816.tif 000013
【図１２】
2004187816.tif 000014